(57)【特許請求の範囲】
【請求項１】
カテーテルと輸液器具とを着脱自在に接続するカテーテルコネクタであって、
軸方向一端側から挿入された前記カテーテルの一端部分を収納するとともに軸方向中間部において外部へ開放されている筒部と、該筒部の他端側に連設され前記輸液器具が接続される器具接続部とを有するコネクタ本体と、
前記筒部内に収納され前記カテーテルの前記一端部分が挿通される弾性筒部材と、
前記筒部内に収納され縮閉自在に前記弾性筒部材の外周側に嵌装される嵌装体と、
前記筒部の外部開放範囲の前記嵌装体へ向かって進退するように前記筒部の他端側に傾動自在に結合し第１傾動位置では前記筒部の前記外部開放範囲において前記嵌装体を内面側の嵌合部に受け入れて傾動面に対して直角方向へ縮閉させ第２傾動位置では前記筒部の前記外部開放範囲から離反して前記嵌装体の縮閉を解除する操作部材とを備え、
前記操作部材の傾動面に対して直角方向の寸法に関して、前記嵌合部の嵌装体出入り端は、該嵌合部内の最大寸法部よりも小さくされ、
前記操作部材の自由端側の端部は、前記第１傾動位置において前記筒部の前記一端側の端部を前記第２傾動位置からの接近側の外周範囲を覆いつつ前記筒部の前記一端側の前記端部を軸方向へ外側へ越えた位置まで延在していることを特徴とするカテーテルコネクタ。
【請求項２】
請求項１記載のカテーテルコネクタにおいて、
前記操作部材には、それが第１傾動位置にあるときに、前記筒部を前記操作部材から離反させる傾動方向へ前記操作部材に対して相対変位自在の固定解除部材が組付けられていることを特徴とするカテーテルコネクタ。
【請求項３】
請求項２記載のカテーテルコネクタにおいて、
前記固定解除部材は、その非操作時には、前記操作部材の前記自由端側の前記端部の外面から外方へ突出しない形状及び寸法とされていることを特徴とするカテーテルコネクタ。
【請求項４】
請求項１〜３のいずれか１項に記載のカテーテルコネクタにおいて、
前記嵌装体は、内面側に前記弾性筒部材をその半径方向内方へ押圧する突条を有していることを特徴とするカテーテルコネクタ。
【請求項５】
請求項１〜４のいずれか１項に記載のカテーテルコネクタにおいて、
前記嵌装体は、内周側を相互に対峙させて、対峙方向の相互の距離を増減自在に周方向の端部において相互にかみ合う１対の半環状部材から構成され、
前記嵌装体は、前記１対の半環状部材における対峙方向の相互の距離の増減により縮閉自在になっていることを特徴とするカテーテルコネクタ。
【発明の詳細な説明】
【技術分野】
【０００１】
本発明は、カテーテルと輸液器具とを接続するカテーテルコネクタに関する。
【背景技術】
【０００２】
特許文献１は、ワニ口型、すなわち本体に対して操作部材を傾動させてカテーテルを固定するカテーテルコネクタを開示する（特許文献１の図１及び図３）。該カテーテルコネクタによれば、半円横断面の半溝が本体の台面に本体の長手方向へ形成されているとともに、カテーテルの端部部分が、所定長さの弾性筒部材の中心孔を貫通して、該弾性筒部材と共に本体の台部の半溝に沿って支持される（特許文献１の図６）。そして、傾動式の操作部材を台部の方へ傾動して、弾性筒部材を操作部材と台部との半溝同士で形成される通路内に挟み込んで、弾性部材を介してカテーテルを挟圧して、固定するようにしている（特許文献１の図５）。該カテーテルコネクタは、また、装備カテーテルを固定位置に保持するために、ロック素子を装備し、該ロック素子は、操作部材が、その合わせ面を台部の合わせ面に合わせる傾動位置にある時に、操作部材の自由端部を台部の長手方向端部に係止するようになっている（特許文献１の図１）。
【先行技術文献】
【特許文献】
【０００３】
【特許文献１】特開２０００−２４５８５０号公報
【発明の概要】
【発明が解決しようとする課題】
【０００４】
特許文献１のカテーテルコネクタは、半円横断面溝同士により形成される通路内に弾性筒部材を嵌入することにより、カテーテルの固定力を適正化することができるものの、カテーテルが操作部材と本体との間に傾動方向へ挟圧する形式となっているので、カテーテルの固定時では、操作部材と本体との合わせ面同士が傾動方向へ分離しないようにするために、ロック素子が必須となる。また、特許文献１のカテーテルコネクタでは、ロック素子は鉤爪と該鉤爪の先端が回り込んで係止する湾曲部とから成り、かつ該ロック素子はカテーテルコネクタの自由端の端面から軸方向外方へ突設されているため、カテーテルコネクタが周囲のものに不用意にぶつかったり、引っ掛かったりした時に、ロック素子の係止が解除され易い。
【０００５】
本発明の目的は、適切な固定力でのカテーテル固定操作を簡単化できるとともに、カテーテルの不用意な固定解除を防止することができるカテーテルコネクタを提供することである。
【課題を解決するための手段】
【０００６】
本発明のカテーテルコネクタは、カテーテルと輸液器具とを着脱自在に接続するカテーテルコネクタであって、軸方向一端側から挿入された前記カテーテルの一端部分を収納するとともに軸方向中間部において外部へ開放されている筒部と、該筒部の他端側に連設され前記輸液器具が接続される器具接続部とを有するコネクタ本体と、前記筒部内に収納され前記カテーテルの前記一端部分が挿通される弾性筒部材と、前記筒部内に収納され縮閉自在に前記弾性筒部材の外周側に嵌装される嵌装体と、前記筒部の外部開放範囲の前記嵌装体へ向かって進退するように前記筒部の他端側に傾動自在に結合し第１傾動位置では前記筒部の前記外部開放範囲において前記嵌装体を内面側の嵌合部に受け入れて傾動面に対して直角方向へ縮閉させ第２傾動位置では前記筒部の前記外部開放範囲から離反して前記嵌装体の縮閉を解除する操作部材とを備え、前記操作部材の傾動面に対して直角方向の寸法に関して、前記嵌合部の嵌装体出入り端は、該嵌合部内の最大寸法部よりも小さくされ、前記操作部材の自由端側の端部は、前記第１傾動位置において前記筒部の前記一端側の端部を前記第２傾動位置からの接近側の外周範囲を覆いつつ前記筒部の前記一端側の前記端部を軸方向へ外側へ越えた位置まで延在していることを特徴とする。
【０００７】
本発明によれば、操作部材が嵌装体を内面側の嵌合部に受け入れるので、嵌装体は、嵌合部においてその寸法に応じた寸法に縮閉して、弾性筒部材を介してカテーテルを挟圧する。したがって、カテーテルはばらつきなく適正な力でカテーテルコネクタに固定されるとともに、その固定操作が簡単となる。
【０００８】
本発明によれば、嵌装体は、操作部材の傾動面に対して直角方向へ縮閉するとともに、嵌合部に嵌合して縮閉した後、嵌合部から抜けようとする場合には、嵌合部の最大寸法部より小寸法の出入り部を通る必要があるので、カテーテルを固定位置に安定して嵌合部に保持することができる。そして、カテーテルの固定位置を保持するために、操作部材とコネクタ本体とを相互に係止する係止部材をカテーテルの挟圧部とは別に設けることを省略することができる。
【０００９】
本発明によれば、操作部材の自由端側の端部は、第１傾動位置において筒部の一端側の端部に対し第２傾動位置からの接近側の外周範囲を覆いつつ筒部の一端側の端部を軸方向へ外側へ越えた位置まで延在しているので、周囲の物が操作部材の自由端側においてカテーテルコネクタに不用意に当たったとしても、その当接に因る外力は、操作部材の自由端側の端部を筒部に対して傾動させる力としては作用せず、その結果、カテーテルの不用意な固定解除を防止することができる。
【００１０】
好ましくは、前記操作部材には、それが第１傾動位置にあるときに、前記筒部を前記操作部材から離反させる傾動方向へ前記操作部材に対して相対変位自在の固定解除部材が組付けられている。
【００１１】
これによれば、傾動方向へほぼ同一位置になっている操作部材及びコネクタ本体に対し、術者は、操作部材における固定解除部材を操作するだけで、操作部材を簡単に第２傾動位置に切り換えることができる。
【００１２】
好ましくは、前記固定解除部材は、その非操作時には、前記操作部材の前記自由端側の前記端部の外面から外方へ突出しない形状及び寸法とされている。
【００１３】
これによれば、物が不用意に固定解除部材に当たって、カテーテルが不用意に固定解除されることを防止することができる。
【００１４】
好ましくは、前記嵌装体は、内面側に前記弾性筒部材を半径方向内方へ押圧する突条を有している。
【００１５】
これによれば、嵌装体から弾性筒部材への挟圧力は嵌装体の突条の部位に集中するので、嵌装体は、弾性筒部材を効率良く挟圧することができる。
【００１６】
好ましくは、前記嵌装体は、内周側を相互に対峙させて、対峙方向の相互の距離を増減自在に周方向の端部において相互にかみ合う１対の半環状部材から構成され、前記嵌装体は、前記１対の半環状部材における対峙方向の相互の距離の増減により縮閉自在になっている。
【００１７】
これによれば、嵌装体の縮閉は、弾性変形によるものではなく、かみ合い量の増減によるものとなるので、嵌装体の縮閉量を増大させることができる。
【図面の簡単な説明】
【００１８】
【図１】カテーテルコネクタの外観構造図。
【図２】図１のカテーテルコネクタの断面図。
【図３】筒部の構造図。
【図４】コネクタ本体の構造図。
【図５】押しボタンの構造図。
【図６】クリップ片の構造図。
【図７】クリップの構造図。
【図８】クリップ片の種々の変形例の構造図
【発明を実施するための形態】
【００１９】
図１において、（ａ）はカテーテル２０の固定解除時のカテーテルコネクタ１０の正面図、（ｂ）はカテーテル２０の固定解除時のカテーテルコネクタ１０の左側面図である。なお、（ａ）では、クランプ１２については、カテーテル２０の固定解除時の傾動位置は実線で示し、カテーテル２０の固定時の傾動位置は二点鎖線で示している。
【００２０】
説明の便宜のために、カテーテルコネクタ１０の上下方向を図１（ａ）の上下方向と定義し、カテーテルコネクタ１０の幅方向を図１（ｂ）の左右方向と定義する。軸方向は長手方向と同一に定義する。ただし、説明の便宜上、使用したカテーテルコネクタ１０の上下方向は、カテーテルコネクタ１０を現実に使用する際の上下方向を規定するものではないとする。例えば、コネクタ本体１１の軸方向又は長手方向は、図１（ａ）の左右方向となっており、クランプ１２の軸方向又は長手方向は、カテーテル２０の固定解除時のクランプ１２の傾動位置では、図１（ａ）の右肩下がり方向となっている。
【００２１】
図１において、カテーテルコネクタ１０は、コネクタ本体１１と、コネクタ本体１１に組付けられるクランプ１２と、クランプ１２に組付けられる押しボタン１３とを備える。このカテーテルコネクタ１０は使い捨てタイプとなっている。コネクタ本体１１は、さらに、軸方向へ相互に固着して結合する基部１７及び筒部１８を備える。
【００２２】
図２において、（ａ）はカテーテル２０の固定解除時のカテーテルコネクタ１０の正面視の断面図、（ｂ）は図１（ａ）のIIｂ−IIｂの断面図である。図３において、（ａ）は中心線より上側を断面とした筒部１８の正面視の外観図、（ｂ）は一方の半部を断面とした筒部１８の平面視の外観図、（ｃ）は（ａ）のIIIｃ−IIIｃ矢視断面図、（ｄ）は筒部１８の右側面図である。
【００２３】
図２及び図３を参照して、筒部１８について説明する。筒部１８は、軸方向へ基部１７から遠い方の端部に筒壁２６を、また、軸方向へ基部１７に結合する端部に筒壁２７を、軸方向中間部に底壁２８をそれぞれ有し、内部には収納空間２９を画定している。なお、収納空間２９の基部１７側の端部部分は、基部１７内に達し、基部１７の内面により画定されている。筒部１８は、軸方向へ底壁２８の範囲では、周方向へ底壁２８以外の部位を外部開放部３０とし、外部開放部３０により収納空間２９を外部へ開放している。換言すると、収納空間２９は、下側の底壁２８側を除き、外部開放部３０により上側と幅方向両側とにおいて外部へ開放されている。
【００２４】
収納空間２９の横断面輪郭は、図３（ｃ）及び（ｄ）から分かるように、円を上下方向へ少し押し潰した形状となっており、幅方向寸法は上下寸法より長くなっている。案内平面２５（図３（ｂ）及び（ｃ））は、収納空間２９の下面部位において軸方向へ収納空間２９の両端間に延在し、クリップ２２の案内面となっている。
【００２５】
筒部１８は、筒壁２６側の端において閉鎖壁をもち、該閉鎖壁は、外面側に軸方向外方へ突出する凸部３２を有している。通孔３１は、凸部３２をその中心線に沿って貫通し、収納空間２９を筒部１８の外へ連通させている。張出し壁３４（図３（ｂ）及び（ｄ））は、筒壁２６の閉鎖側の端部の幅方向両側の内周面部位において幅方向へ内側へ向けて突設されている。張出し壁３４は、後述のクリップ片６６の係止溝７１（図６）に嵌入して、収納空間２９内におけるクリップ片６６の周方向位置決めを行う。円柱ボス３３は、筒壁２７の、幅方向両側の外周面部位に幅方向外側に向いて突設されている。
【００２６】
図２を参照して、基部１７について説明する。基部１７は、筒部１８側の端部において筒壁２７の内周に嵌入され、固着される。基部１７は貫通孔を有し、該貫通孔は、筒部１８側から軸方向へ順番に大径部３５、中径部３６、小径部３７、最小径部３８、及びテーパ部３９，４０を有している。大径部３５、中径部３６及び小径部３７は収納空間２９の基部１７側の端部を画定している。大径部３５の横断面は、筒壁２６の横断面とは形状及び寸法共に同一とされる。中径部３６、小径部３７及び最小径部３８の横断面は円形である。
【００２７】
図２において、カテーテル２０、弾性チューブ２１及びクリップ２２は、それらの中心線を揃えて収納空間２９内に配設され、軸方向へ延在している。カテーテル２０は弾性チューブ２１内を通過し、クリップ２２は弾性チューブ２１の外周側に嵌装されている。クリップ２２の端部は大径部３５に挿入され、弾性チューブ２１の端部は中径部３６に挿入され、カテーテル２０の端部は小径部３７に挿入される。
【００２８】
基部１７内の貫通孔は、最小径部３８において最小径となり、テーパ部３９では最小径部３８から軸方向へ遠ざかるに連れて漸増し、テーパ部４０ではテーパ部３９から軸方向へ遠ざかるに連れて径を漸増する。テーパの勾配は、テーパ部３９の方がテーパ部４０より大となっている。テーパ部４０には、注射器や輸液管路等の輸液器具が挿入されて、接続される。
【００２９】
弾性チューブ２１は、クリップ２２からの挟圧力の解除時では、内径がカテーテル２０の外径より大となる。カテーテル２０は、弾性チューブ２１からの挟圧を解除されているときに、基端部（カテーテル２０について、患者側の方を先端部、カテーテルコネクタ１０の方を基端部と定義する。）の端を凸部３２の外面側から通孔３１へ挿入され、該端は、収納空間２９内において弾性チューブ２１の中心孔を基部１７の方へ通り抜けている。
【００３０】
図４において、（ａ）はクランプ１２の正面視の断面図、（ｂ）はクランプ１２の底面図、（ｃ）はクランプ１２の左側面図である。
【００３１】
図１、図２及び図４を参照して、クランプ１２について説明する。クランプ１２は、上側の頂壁４１と、幅方向両側の側壁４２とを有している。切欠き部４５は、クランプ１２の自由端（図４の左端）側に頂壁４１及び側壁４２の所定部分を確保して、該所定部分より長手方向内側の部位に穿設される。切欠き部４５には、押しボタン１３が上下方向へ変位自在に組み付けられる。切欠き部４５の形成範囲では、頂壁４１は完全に欠落し、側壁４２は下端部のみを残して欠落している。切欠き部４５より自由端側の頂壁４１の部分は、術者がクランプ１２を筒部１８の方へ押し込む際に指を当てる部位として使用される。
【００３２】
係止溝４８は、軸方向へ切欠き部４５の範囲における自由端（図４の左端）側の側壁４２の端部おいて下端欠落部として形成され、爪５９（図５）が側壁４２の内面側から嵌入して係止されるようになっている。各側壁４２は、支点側（軸方向へ自由端側とは反対側。円形孔４７の中心が支点に相当し、図４の右側が支点側となる。）では、頂壁４１を越えてクランプ１２の長手方向へ張出している。２つの円形孔４７は、各側壁４２の張出し端部に穿設され、円柱ボス３３（図３）が回動可能に嵌入される。クランプ１２は、円柱ボス３３に軸支されて、円柱ボス３３の中心線の周りに回転自在にコネクタ本体１１に結合する。
【００３３】
底壁４３は、クランプ１２の自由端部において、側壁４２の下端から幅方向内方へ張り出す。間隙４４は、幅方向へ底壁４３の張出し端の間に形成され、カテーテル２０の外径より大きい幅となっている。
【００３４】
垂下部５０は、クランプ１２において切欠き部４５より長手方向へ支点側の頂壁４１の範囲において頂壁４１の下面から垂下して設けられ、内面側に嵌合溝５１を有している。嵌合溝５１は、下側において開口しており、奥側（上側）の嵌合部５２と、開口側（下側）の出入り口面部５３とを溝面としてもつ。嵌合部５２は、円弧であり、その直径は、クリップ２２が嵌合部５２に嵌合しているときに、クリップ２２を縮閉状態に保持する寸法とされる。両出入り口面部５３の間の幅方向距離は、嵌合部５２の直径より小さくなっている。嵌合溝５１は、クリップ２２が嵌合部５２への出入りのために両出入り口面部５３の間を通過する際に、弾性的に両出入り口面部５３間を拡開するようになっている。
【００３５】
図５において、（ａ）は押しボタン１３の正面図、（ｂ）は押しボタン１３の左側面図である。図１、図２及び図５を参照して、押しボタン１３について説明する。
【００３６】
押しボタン１３は、押圧壁５７、脚部５８及び爪５９を備える。押圧壁５７は、その軸方向寸法は切欠き部４５（図４）の軸方向寸法に等しく、その幅方向寸法はクランプ１２の頂壁４１の幅寸法に等しくなっている。脚部５８は、押圧壁５７の軸方向一端の下面から垂下し、内面側には下端の開口側に近い位置ほど幅が増大するＵ字状輪郭の溝を有している。爪５９は、脚部５８の下端の外面側から幅方向外方へ張出している。脚部５８の内面側のＵ字状輪郭の溝にはクリップ２２（図２）が挿入される。
【００３７】
押しボタン１３は、両爪５９を切欠き部４５（図４）の範囲において切欠き部４５の方から両側壁４２の内面側を通過させ、係止溝４８に係止される。脚部５８は、その薄さのために、該溝の開口幅を弾性的に縮閉自在になっている。したがって、脚部５８の下端の開口の幅は、両爪５９が両側壁４２の内面側を通過する際は、弾性的に縮閉され、両爪５９が係止溝４８に達すると、元の幅に復帰して、両爪５９が両係止溝４８の幅より大きく開いて、係止溝４８に係止される。以降、押しボタン１３が上方向へクランプ１２から離脱しようとする時は、爪５９が係止溝４８の下面に当接して、離脱が阻止される。
【００３８】
図６において、（ａ）はクリップ片６６の正面図、（ｂ）は（ａ）のVIｂ−VIｂ矢視断面図、（ｃ）は（ａ）のVIｃ−VIｃ矢視断面図、（ｄ）は（ａ）のVIｄ−VIｄ矢視断面図である。クリップ２２（図２）は、２つのクリップ片６６を、内周側を相互に対峙させ、対峙方向へ相互にかみ合わせたものから成る。クリップ片６６は、円弧部７０と、円弧部７０の内周面から半径方向内方へ突出する突条６９とを有している。
【００３９】
円弧部７０は、周方向の両側の端部において、長手方向へ凸部６７と凹部６８とを交互に有している。係止溝７１は、円弧部７０における突条６９と同一の周方向位置において、クリップ片６６の長手方向へ円弧部７０の端から突条６９の端まで形成されている。係止溝７１には、筒部１８の張出し壁３４（図３（ｂ））が嵌入されて、収納空間２９におけるクリップ片６６の周方向位置決めを行う。
【００４０】
図７において、（ａ）はクリップ２２の拡開時の平面図、（ｂ）はクリップ２２の縮閉時の平面図、（ｃ）は（ａ）のVIIｃ−VIIｃ矢視断面図、（ｄ）は（ｂ）のVIIｄ−VIIｄ矢視断面図である。なお、図７において、２つのクリップ片６６を区別するため、一方及び他方のクリップ片６６に対してａ及びｂの添え字を付けている。ａ，ｂは、クリップ片６６ａ，ｂの各部位にも付けている。１対のクリップ片６６ａ，ｂは、凸部６７ａが凹部６８ｂへ、また、凸部６７ｂが凹部６８ａへ、それぞれ嵌入するように、相互に組付けられて、１つのクリップ２２を構成する。
【００４１】
１対のクリップ片６６ａ，ｂは、内周側を相互に対峙させた対峙方向へ相互にかみ合わせられるために、対峙方向の相互の距離を増減自在になっている。１対のクリップ片６６ａ，ｂは、その係止溝７１へ筒部１８の張出し壁３４（図３（ｂ））が嵌入されて収納空間２９内に組み付けられることにより、１対のクリップ片６６ａ，ｂの対峙方向は筒部１８の幅方向に一致させられ、クリップ２２は筒部１８の幅方向へ縮閉自在になる。収納空間２９への１対のクリップ片６６ａ，ｂの組付け状態において、突条６９ａ，ｂ間の間隙の中心点は弾性チューブ２１及びカテーテル２０の中心点の位置となっている。これにより、１対のクリップ片６６ａ，ｂが対峙方向へ縮閉するのに伴い、弾性チューブ２１は筒部１８の幅方向に一致するカテーテル２０の半径方向へカテーテル２０を挟圧する。１対のクリップ片６６ａ，ｂが縮閉したときのクリップ２２の横断面は円形になる。
【００４２】
クリップ２２が拡開状態にあるときは、図７（ａ）及び（ｃ）に示すように、間隙７３が一方のクリップ片６６の凸部６７と他方のクリップ片６６の凹部６８との間に存在し、両クリップ片６６の対峙方向距離は増大している。これに対し、クリップ２２が縮閉状態にあるときは、図７（ｂ）及び（ｄ）に示すように、一方のクリップ片６６の凸部６７の頂面は他方のクリップ片６６の凹部６８の底面に当接し、間隙７３は喪失し、両クリップ片６６の対峙方向距離は減少している。クリップ２２は、クランプ１２（図４）の嵌合部５２に嵌合しているとき、幅方向へ縮閉状態になり、嵌合溝５１から離脱しているとき、幅方向へ拡開状態になる。クリップ２２の上下方向寸法は縮閉及び拡開にもかかわらず一定に保持される。
【００４３】
カテーテルコネクタ１０の作用を説明する。なお、クランプ１２は本発明の操作部材に相当し、押しボタン１３は本発明の固定解除部材に相当し、基部１７は本発明の器具接続部に相当し、筒部１８は本発明の筒部に相当し、弾性チューブ２１は本発明の弾性筒部材に相当し、クリップ２２は本発明の嵌装体に相当し、外部開放部３０は本発明の外部開放範囲に相当し、出入り口面部５３は本発明の嵌装体出入り端に相当し、クリップ片６６は本発明の半環状部材に相当する。
【００４４】
コネクタ本体１１へのカテーテル２０の挿入の際には、クランプ１２はカテーテル２０の固定解除の傾動位置（図１の実線位置。以下、適宜、「解除傾動位置」という。）にされている。
【００４５】
クランプ１２は、解除傾動位置では、自由端（円柱ボス３３から遠い方の端）側をコネクタ本体１１の自由端（円柱ボス３３から遠い方の端）側から十分に離される。これにより、クリップ２２は、クランプ１２の嵌合溝５１から離脱しており、嵌合部５２からのコネクタ本体１１の幅方向への縮閉を解除されている。その結果、弾性チューブ２１は、クリップ２２からの半径方向内方への挟圧力から解放され、弾性の復帰力により内径を十分に増大させた状態にある。
【００４６】
術者は、クランプ１２の解除傾動位置において、カテーテル２０の基端を凸部３２の通孔３１から収納空間２９内へ挿入する。術者は、カテーテル２０の基端が、収納空間２９内の弾性チューブ２１の中心孔を通過して、小径部３７の最小径部３８側の端の段部に突き当たるまで、カテーテル２０の基端部分を通孔３１へ押込んでいく。
【００４７】
術者は、次に、カテーテル２０が通孔３１から外へ抜けないように、カテーテル２０を保持しつつ、クランプ１２の自由端側の頂壁４１の端部を筒部１８の方へ押込む。クランプ１２の自由端側の頂壁４１の端部とは、押しボタン１３に対してクランプ１２の自由端側の頂壁４１の部分である。クランプ１２は円柱ボス３３の周りに回動して、クランプ１２の自由端は筒部１８の方へ傾動し、やがて、嵌合溝５１の出入り口面部５３がクリップ２２の上面部に接触する。
【００４８】
術者がさらに頂壁４１を押込むと、クリップ２２は、円弧部７０の外周面を両出入り口面部５３の内側に滑り込んで、嵌合部５２へ嵌入する。クリップ２２は、嵌合溝５１の両出入り口面部５３の間を通過する際、両出入り口面部５３から幅方向の挟圧力を受けて縮閉するとともに、垂下部５０は、クリップ２２からの所定値以上の押込み力により出入り口面部５３において幅方向へ弾性的に大きく拡開し、出入り口面部５３におけるクリップ２２の通過を許容する。
【００４９】
術者による嵌合溝５１へのクリップ２２の押込み力はクリップ２２が嵌合部５２に嵌合しだい、解除され、垂下部５０は出入り口面部５３における拡開を解除されて、出入り口面部５３間の幅は元の寸法に戻る。クリップ２２は、それが嵌合部５２に嵌合した状態では、縮閉状態を維持する。
【００５０】
こうして、クランプ１２はカテーテル２０を固定する傾動位置（図１のニ点鎖線位置。以下、適宜、「固定傾動位置」という。）となる。クランプ１２の固定傾動位置では、クリップ２２は、弾性チューブ２１を介してカテーテル２０を挟圧し、カテーテル２０はカテーテルコネクタ１０に固定される。また、クリップ２２は、押しボタン１３の脚部５８の内面側に嵌入しており、押しボタン１３の押圧壁５７は、クランプ１２の頂壁４１の面に揃っており、頂壁４１からの突出無しの状態になっている。
【００５１】
カテーテル２０は弾性チューブ２１を介して半径方向へ挟圧されているとき、軸方向へ少し伸びるが、この伸びは、カテーテル２０の基端を小径部３７における最小径部３８側の段部に押し付けるように作用するので、カテーテル２０の基端におけるシール性が向上する。
【００５２】
クランプ１２の固定傾動位置における弾性チューブ２１からのカテーテル２０の挟圧力は、嵌合部５２の寸法により定まるので、カテーテル２０の固定力は、ばらつきを防止され、適正化される。
【００５３】
クランプ１２の固定傾動位置では、クランプ１２の頂壁４１及び側壁４２は、軸方向へ筒部１８の自由端を越えて外方へ張出しているとともに、頂壁４１の外面は筒部１８の自由端部の上面より上にあり、側壁４２の外面は、筒部１８の自由端部の両側面より幅方向外になっている。同様に、クランプ１２の固定傾動位置では、押しボタン１３の押圧壁５７は側壁４２から上方及び幅方向外側へ突出しない寸法及び形状になっている。
【００５４】
したがって、周囲の物体が、カテーテルコネクタ１０の自由端部側に当たったとしても、筒部１８とクランプ１２とを自由端部側において回動方向へ相互に開く外力が生じることが排除される。この結果、カテーテル２０の不用意な固定解除が防止される。
【００５５】
術者は、カテーテルコネクタ１０へのカテーテル２０の固定を解除して、カテーテルコネクタ１０からカテーテル２０の基端部分を引き抜くときは、クランプ１２の両側壁４２を把持しつつ、押しボタン１３の押圧壁５７を押圧して、押しボタン１３をクランプ１２に対して押し下げる。
【００５６】
これに伴い、クリップ２２は、押しボタン１３の脚部５８の内面により下向きの力を受け、嵌合部５２から出入り口面部５３の方へ移動して、嵌合溝５１から離脱する。筒部１８は、クリップ２２と一体に円柱ボス３３の回転軸線の周りにクランプ１２に対して相対回転し、クランプ１２は固定傾動位置から解除傾動位置へ切り替わる。これにより、クリップ２２のクリップ片６６は嵌合溝５１からの対峙方向の縮閉を解除され、弾性チューブ２１は、弾性復帰力により自由状態の径へ戻り、内面側におけるカテーテル２０への固着を解除される。
【００５７】
術者は、その後、カテーテル２０を通孔３１から引き抜き、カテーテル２０をカテーテルコネクタ１０から分離する。
【００５８】
本発明を実施例について説明したが、本発明の用紙の範囲内で種々に変更して、実施することができる。
【００５９】
例えば、クリップ２２を構成するクリップ片６６の構造について、図６及び図７に示す構造以外に、図８に示す種々の構造を採用することができる。図８を参照して、クリップ２２の各構造例を説明する。なお、図８では、１対のクリップ片６６の一方及びその部位には添え字ａを付け、他方及びその部位には添え字ｂを付けている。また、図８の（ａ）〜（ｄ）において、上側は拡開状態、下側は縮閉状態を示している。
【００６０】
図８において、（ａ）では、クリップ片６６ａ，ｂは、突条６９ａ，ｂを共に有する同一構造とされ、組付け時に、内周側を向き合わされる。（ｂ）では、クリップ片６６ａのみが突条６９ａを有し、クリップ片６６ｂは突条を有しない。（ｂ）の突条６９ａは（ａ）の突条６９ａより突出量がほぼ倍になっている。
【００６１】
（ｃ）では、クリップ片６６ａ，ｂは共に突条を有しない。代わりに、円弧部７０ａ，ｂの肉厚が（ａ）及び（ｂ）の円弧部７０ａ，ｂの肉厚より増大され、半径方向への弾性変形量を増大化されている。（ｄ）では、クリップ片６６ａ，ｂはヒンジ７４により連結している。（ｄ）のクリップ片６６ａ，ｂでは凸部６７，６８（図６）は省略することができる。
【符号の説明】
【００６２】
１０・・・カテーテルコネクタ、１１・・・コネクタ本体、１２・・・クランプ（操作部材）、１３・・・押しボタン（固定解除部材）、１７・・・基部（器具接続部）、１８・・・筒部（筒部）、２０・・・カテーテル、２１・・・弾性チューブ（弾性筒部材）、２２・・・クリップ（嵌装体）、２９・・・収納空間、３０・・・外部開放部（外部開放範囲）、４１・・・頂壁、４２・・・側壁、５２・・・嵌合部、５３・・・出入り口面部（嵌装体出入り端）、６６・・・クリップ片（半環状部材）。
【図１】
0005847453.tif 000002
【図２】
0005847453.tif 000003
【図３】
0005847453.tif 000004
【図４】
0005847453.tif 000005
【図５】
0005847453.tif 000006
【図６】
0005847453.tif 000007
【図７】
0005847453.tif 000008
【図８】
0005847453.tif 000009